(57)【要約】【課題】  可撓性配線部材が損傷する虞を低減できる表示装置を提供する。【解決手段】  ケース体２０は、表示パネル１０を支持する。可撓性配線部材３０は、表示パネル１０に一端３０ａが接続される。回路基板４０は、可撓性配線部材３０の他端３０ｂが接続される。ケース体２０は、表示パネル１０を支持する筒部２１と、可撓性配線部材３０を保持するホルダー部２２ａと、筒部２１とホルダー部２２ａとの間に形成され可撓性配線部材３０の一部を挿入する隙間部Ｓと、を有する。ケース体２０のホルダー部２２ａは、可撓性配線部材３０を掛ける突起部２２ｃ，２２ｄ，２２ｅを有する。可撓性配線部材３０の切欠き部３１は、ホルダー部２２ａの突起部２２ｃ，２２ｄ，２２ｅに掛けられる。【選択図】  図１
2013068672.tif 000002
【特許請求の範囲】
【請求項１】
表示パネルと、前記表示パネルを支持するケース体と、前記表示パネルに接続された可撓性配線部材と、を備えた表示装置であって、
前記ケース体は、前記可撓性配線部材を保持する保持部を有することを特徴とする表示装置。
【請求項２】
表示パネルと、前記表示パネルを支持するケース体と、前記表示パネルに一端が接続された可撓性配線部材と、前記可撓性配線部材の他端が接続される回路基板と、を備えた表示装置であって、
前記ケース体は、前記表示パネルを支持する筒部と、前記可撓性配線部材を保持するホルダー部と、前記筒部と前記ホルダー部との間に形成され前記可撓性配線部材の一部を挿入する隙間部と、を有することを特徴とする表示装置。
【請求項３】
前記ケース体の前記ホルダー部は、前記可撓性配線部材を掛ける突起部を有することを特徴とする請求項２に記載の表示装置。
【請求項４】
前記可撓性配線部材は、前記他端を分岐させる切欠き部を有することを特徴とする請求項３に記載の表示装置。
【請求項５】
前記可撓性配線部材の前記切欠き部は、前記ホルダー部の前記突起部に掛けられることを特徴とする請求項４に記載の表示装置。
【発明の詳細な説明】
【技術分野】
【０００１】
本発明は、表示パネルと回路基板とを可撓性配線部材で接続した表示装置に関するものである。
【背景技術】
【０００２】
従来より、ケース体に液晶表示パネルを配設した表示装置が種々提案されており、例えば特許文献１に開示されている。斯かる表示装置は、液晶表示パネル１をケース体２の前端部に配設すると共に、可撓性配線板３によって液晶表示パネル１と硬質回路基板４とを電気的に接続したものである（図８及び図９参照）。可撓性配線板３の一端は液晶表示パネル１に接続され、可撓性配線板３の一端３ａは、液晶表示パネル１に電気的に接続され、可撓性配線板３の他端３ｂは、コネクタ５を介して、硬質回路基板４に電気的に接続されている。硬質回路基板４には発光素子６が搭載されており、この発光素子６によって液晶表示パネル１を透過照明する。
【先行技術文献】
【特許文献】
【０００３】
【特許文献１】特開平６−３６８８号公報
【発明の概要】
【発明が解決しようとする課題】
【０００４】
しかしながら、可撓性配線板３は一端３ａ及び他端３ｂのみで固定されており、可撓性配線板３の中間部分が保持されておらず、可撓性配線板３が振動によって可撓性配線板３の中間部分が揺れ動いてしまうため、可撓性配線板３が断線する虞があった。
本発明は、この問題に鑑みなされたものであり、可撓性配線部材が損傷する虞を低減できる表示装置を提供するものである。
【課題を解決するための手段】
【０００５】
本発明は、請求項１に記載のように、表示パネル１０と、前記表示パネル１０を支持するケース体２０と、前記表示パネル１０に接続された可撓性配線部材３０と、を備えた表示装置であって、前記ケース体２０は、前記可撓性配線部材３０を保持する保持部２２を有することを特徴とする表示装置。
【０００６】
また、本発明は、請求項２に記載のように、表示パネル１０と、前記表示パネル１０を支持するケース体２０と、前記表示パネル１０に一端３０ａが接続された可撓性配線部材３０と、前記可撓性配線部材３０の他端３０ｂが接続される回路基板４０と、を備えた表示装置であって、前記ケース体２０は、前記表示パネル１０を支持する筒部２１と、前記可撓性配線部材３０を保持するホルダー部２２ａと、前記筒部２１と前記ホルダー部２２ａとの間に形成され前記可撓性配線部材３０の一部を挿入する隙間部Ｓと、を有するものである。
【０００７】
また、本発明は、請求項３に記載のように、前記ケース体２０の前記ホルダー部２２ａは、前記可撓性配線部材３０を掛ける突起部２２ｃ，２２ｄ，２２ｅを有するものである。
【０００８】
また、本発明は、請求項４に記載のように、前記可撓性配線部材３０は、前記他端３０ｂを分岐させる切欠き部３１を有するものである。
【０００９】
また、本発明は、請求項５に記載のように、前記可撓性配線部材３０の前記切欠き部３１は、前記ホルダー部２２ａの前記突起部２２ｃ，２２ｄ，２２ｅに掛けられるものである。
【発明の効果】
【００１０】
可撓性配線部材を保持することにより、可撓性配線部材が振動によって揺れ動いて損傷する虞を低減することができる。
【図面の簡単な説明】
【００１１】
【図１】本発明の第一実施形態を示す側壁図。
【図２】同上実施形態を示す前面図。
【図３】同上実施形態を示すケース体の側壁図。
【図４】同上実施形態を示す要部拡大断面図。
【図５】本発明の第二実施形態を示す側壁図。
【図６】同上実施形態を示すケース体の側壁図。
【図７】同上実施形態を示す要部拡大断面図。
【図８】従来例を示す側壁図。
【図９】同上従来例を示す断面図。
【発明を実施するための形態】
【００１２】
以下、添付図面に基づいて、本発明の一実施形態を説明する。図１乃至図４は、第一実施形態を示すものである。
【００１３】
表示装置は、液晶表示パネル（表示パネル）１０，ケース体２０，可撓性配線板（可撓性配線部材）３０，硬質回路基板（回路基板）４０を備えている。液晶表示パネル１０は、ＩＴＯ（Indium Tin Oxide）等の透明電極が形成された一対の透光性基板１１，１２に液晶を封入した液晶セルの前後面に偏光板（図示しない）を貼着したものである。
【００１４】
ケース体２０は、略角筒形状の筒部２１と、可撓性配線板３０を保持する保持部２２と、硬質回路基板４０に係止される係止片２３とを有しており、これらの筒部２１，保持部２２，係止片２３は、白色の樹脂にて一体形成されている。
【００１５】
ケース体２０の筒部２１の前端部には液晶表示パネル１０が支持される。ケース体２０の筒部２１の前端部には、可撓性配線板３０を引き出すための凹部２１ａが形成されている。ケース体２０の筒部２１は、４つの側壁２１ｂ，２１ｃ，２１ｄ，２１ｅを有する略角筒形状になっている。ケース体２０の筒部２１の内部には、図示しない発光素子（例えば発光ダイオード）が配設されている。この発光素子は、硬質回路基板４０に搭載されており、液晶表示パネル１０を透過照明する。
【００１６】
ケース体２０の保持部２２は、筒部２１の側壁２１ｂから所定間隔ｄを有するように設けられるホルダー部２２ａと、このホルダー部２２ａを側壁２１ｂに&#32363;ぐ支持片２２ｂとを有している。ケース体２０の保持部２２は、前面視で略コ字形状になっており、隙間部Ｓが形成されている（図２参照）。保持部２２のホルダー部２２ａは、側面視で略逆Ｗ字形状になっており、可撓性配線板３０を掛ける突起部２２ｃ，２２ｄ，２２ｅを有している（図３参照）。ケース体２０の係止片２３は、筒部２１の側壁２１ｃ，２１ｄから斜め下方に垂下する形状になっており、硬質回路基板４０に係止される係止爪２３ａを有している。
【００１７】
可撓性配線板３０は、ポリイミドからなるベースフィルムに配線パターンを形成したものであり、液晶表示パネル１０と硬質回路基板４０とを電気的に接続するものである。可撓性配線板３０の一端３０ａは、液晶表示パネル１０に電気的に接続され、可撓性配線板３０の他端３０ｂは、コネクタ４１を介して、硬質回路基板４０に電気的に接続されている。可撓性配線板３０には切欠き部３１が形成されており、この切欠き部３１によって他端３０ｂが二股に分岐されている。可撓性配線板３０の切欠き部３１は、ホルダー部２２の突起部２２ｄに掛けられる。
【００１８】
硬質回路基板４０には、液晶表示パネル１０を駆動する駆動回路（図示しない）が搭載されている。硬質回路基板４０の後面にはコネクタ４１が配設されており、このコネクタ４１に可撓性配線板３０の他端３０ｂが接続されている。硬質回路基板４０には矩形の開口４０ａが形成されており、この開口４０ａに係止片２３が係止される。
【００１９】
可撓性配線板３０はホルダー部２２ａの突起部２２ｃ，２２ｄ，２２ｅに掛けられ、可撓性配線板３０の一部が隙間部Ｓに挿入される。これにより、可撓性配線板３０がホルダー部２２ａに保持される。
【００２０】
図５乃至図７は、第二実施形態を示す図である。第二実施形態は、ホルダー部２２ａ及び可撓性配線板３０の形状が異なるだけであり、他の構成は第一実施形態と同様である。
【００２１】
ケース体２０のホルダー部２２ａは、可撓性配線板３０を掛ける突起部２２ｃ，２２ｅを有している（図６参照）。可撓性配線板３０はホルダー部２２ａの突起部２２ｃ，２２ｅに掛けられ、可撓性配線板３０の一部が隙間部Ｓに挿入される。これにより、可撓性配線板３０がホルダー部２２ａに保持される。
【００２２】
第一，第二実施形態によれば、可撓性配線板３０をホルダー部２２ａに保持することができ、可撓性配線板３０が振動によって揺れ動いて損傷する虞を低減することができる。特に、本発明は、コネクタ４１が硬質回路基板４０の後面に配設された表示装置において好適である。つまり、可撓性配線板３０が硬質回路基板４０の後面に引き回される表示装置においては、可撓性配線板３０が硬質回路基板４０の外周によって損傷する虞がない。
【００２３】
なお、本発明は種々の変形が可能であり、例えば、表示パネルは、有機ＥＬ表示パネル等の自発光型表示パネルであっても良い。また、筒部２１と保持部２２は一体形成されたものであったが、筒部２１と保持部２２は別体であっても良い。
【符号の説明】
【００２４】
１０    液晶表示パネル（表示パネル）
２０    ケース体
２１    筒部
２２ａ  ホルダー部
２２ｃ  突起部
２２ｄ  突起部
２２ｅ  突起部
３０    可撓性配線板（可撓性配線部材）
３０ａ  一端
３０ｂ  他端
３１    切欠き部
４０    硬質回路基板（回路基板）
Ｓ    隙間部
【図１】
2013068672.tif 000003
【図２】
2013068672.tif 000004
【図３】
2013068672.tif 000005
【図４】
2013068672.tif 000006
【図５】
2013068672.tif 000007
【図６】
2013068672.tif 000008
【図７】
2013068672.tif 000009
【図８】
2013068672.tif 000010
【図９】
2013068672.tif 000011